(57)【要約】【課題】基板カバーの取付作業を容易に行うことができる照明装置を提供する。【解決手段】冷陰極管１７と、冷陰極管１７が収容され、コントロール基板４０が付設されてなるシャーシ１４と、シャーシ１４に取り付けられ、コントロール基板４０を覆う形で配される基板カバー６０と、を備え、基板カバー６０がガイド片７０を備え、シャーシ１４がガイド片７０をガイドするガイド溝部５２を備えることで、基板カバー６０をシャーシ１４における所定の取付位置までガイド可能な構成であることを特徴とする。【選択図】図９
2012043614.tif 000002
【特許請求の範囲】
【請求項１】
光源と、
前記光源が収容され、回路基板が付設されてなるシャーシと、
前記シャーシに取り付けられ、前記回路基板を覆う形で配される基板カバーと、を備え、
前記基板カバー及び前記シャーシのうち、いずれか一方がガイド片を備え、他方が前記ガイド片をガイドするガイド溝部を備えることで、前記基板カバーを前記シャーシにおける所定の取付位置までガイド可能な構成であることを特徴とする照明装置。
【請求項２】
前記ガイド溝部及び前記ガイド片のうち、いずれか一方には突部が形成され、他方には、前記突部が挿通される突部挿通孔が形成され、
前記突部挿通孔に前記突部が挿通されることで、前記ガイド溝部に対する前記ガイド片のガイド方向において、前記基板カバーが前記取付位置に位置決めされる構成であることを特徴とする請求項１に記載の照明装置。
【請求項３】
前記突部は、前記ガイド溝部の一部または前記ガイド片の一部を、前記突部挿通孔に向かって折り曲げることで形成されていることを特徴とする請求項２に記載の照明装置。
【請求項４】
前記シャーシにおける前記基板カバーの周辺部には、シャーシ側マーカーが形成され、
前記基板カバーには、カバー側マーカーが形成され、
前記基板カバーが前記取付位置に配された状態では、前記シャーシ側マーカーと前記カバー側マーカーとが、前記ガイド溝部に対する前記ガイド片のガイド方向において、同じ位置に配されることを特徴とする請求項１から請求項３のいずれか１項に記載の照明装置。
【請求項５】
前記ガイド片における前記ガイド溝部との対向面には、ガイド片側マーカーが形成され、
前記基板カバーが前記取付位置に配された状態において、前記ガイド溝部における前記ガイド片側マーカーと重畳する箇所には、前記ガイド片側マーカーを前記ガイド片とは反対側から視認可能とするマーカー視認孔が貫通形成されていることを特徴とする請求項１から請求項４のいずれか１項に記載の照明装置。
【請求項６】
前記マーカー視認孔の形状は、前記ガイド片側マーカーの形状と相似形状をなすことを特徴とする請求項５に記載の照明装置。
【請求項７】
前記ガイド溝部の側壁部を構成するとともに、前記ガイド片を挟む形で対向状に配される一対の壁部を備え、
前記ガイド片は、その先端側に向かうにつれて先細りする形状をなしており、
前記一対の壁部は、その対向間隔が前記先端側に向かうにつれて小さくなる形で形成されており、
前記ガイド溝部に対して、前記ガイド片が前記先端側に相対移動された際に、前記ガイド片が前記一対の壁部の各々に当接することで、前記基板カバーが、前記ガイド溝部に対する前記ガイド片のガイド方向において、前記取付位置に位置決めされる構成であることを特徴とする請求項１から請求項６のいずれか１項に記載の照明装置。
【請求項８】
前記回路基板が前記ガイド片又は前記ガイド溝部を備えることを特徴とする請求項１から請求項７のいずれか１項に記載の照明装置。
【請求項９】
請求項１から請求項８のいずれか１項に記載の照明装置と、
前記照明装置からの光を利用して表示を行う表示パネルと、を備えることを特徴とする表示装置。
【請求項１０】
前記表示パネルが液晶を用いた液晶パネルであることを特徴とする請求項９に記載の表示装置。
【請求項１１】
請求項９又は請求項１０に記載された表示装置を備えることを特徴とするテレビ受信装置。
【発明の詳細な説明】
【技術分野】
【０００１】
本発明は、照明装置、表示装置、及びテレビ受信装置に関する。
【背景技術】
【０００２】
従来、液晶テレビなどの液晶表示装置に用いる液晶パネルは、自発光しないため、別途に照明装置としてバックライト装置を備えている。このようなバックライト装置は、液晶パネルの裏側（表示面とは反対側）に設置されるものが周知であり、液晶パネル側に開口された形状をなすシャーシと、シャーシにおける底板の内面側に設置される複数の光源（例えば冷陰極管やＬＥＤなど）と、シャーシの開口部に配されて光源が発する光を効率的に液晶パネル側へ放出させるための光学部材（拡散板等）と、シャーシ内に敷設され、光源からの光を光学部材並びに液晶パネル側に反射させる光反射シートなど備えている。
【０００３】
また、シャーシには、液晶表示装置の駆動に係る回路基板が取り付けられており、この回路基板を覆う形で基板カバーが取り付けられているものが知られている。このような基板カバー及び回路基板は、例えば、ビスなどの取付手段にてシャーシに取り付けられる。なお、シャーシに対して回路基板をビスで固定する構成の液晶表示装置の一例として下記特許文献１に記載されたものが知られている。
【先行技術文献】
【特許文献】
【０００４】
【特許文献１】特開２００７−１８０７５１号公報
【発明の概要】
【発明が解決しようとする課題】
【０００５】
上記のような基板カバーをシャーシに取り付ける場合には、基板カバーを所定の取付位置に配する必要がある。従来、このような基板カバーの取付位置への位置合わせは、作業者が手で行っており、作業性において改善の余地があった。
【０００６】
本発明は上記のような事情に基づいて完成されたものであって、基板カバーの取付作業を容易に行うことができる照明装置を提供することを目的とする。また、このような照明装置を備えた表示装置、及びテレビ受信装置を提供することを目的とする。
【課題を解決するための手段】
【０００７】
上記課題を解決するために、本発明の照明装置は、光源と、前記光源が収容され、回路基板が付設されてなるシャーシと、前記シャーシに取り付けられ、前記回路基板を覆う形で配される基板カバーと、を備え、前記基板カバー及び前記シャーシのうち、いずれか一方がガイド片を備え、他方が前記ガイド片をガイドするガイド溝部を備えることで、前記基板カバーを前記シャーシにおける所定の取付位置までガイド可能な構成であることに特徴を有する。
【０００８】
ガイド片がガイド溝部にガイドされることで、基板カバーをシャーシに対してガイドさせることができる。このように、ガイド片がガイド溝部にガイドされることで、シャーシに対する基板カバーの位置決めが容易となり、基板カバーの取付に係る作業性が向上する。また、基板カバーをシャーシにおける取付位置に確実にセットすることができ、回路基板を確実に基板カバーで覆うことができる。
【０００９】
上記構成において、前記ガイド溝部及び前記ガイド片のうち、いずれか一方には突部が形成され、他方には、前記突部が挿通される突部挿通孔が形成され、前記突部挿通孔に前記突部が挿通されることで、前記ガイド溝部に対する前記ガイド片のガイド方向において、前記基板カバーが前記取付位置に位置決めされる構成であるものとすることができる。
【００１０】
突部挿通孔に突部が挿通されることで、基板カバーが所定の取付位置に位置決めされる。このため、基板カバーをより確実に所定の取付位置に配することができる。
【００１１】
また、前記突部は、前記ガイド溝部の一部または前記ガイド片の一部を、前記突部挿通孔に向かって折り曲げることで形成されているものとすることができる。このような構成とすれば、突部を容易に形成することができる。
【００１２】
また、前記シャーシにおける前記基板カバーの周辺部には、シャーシ側マーカーが形成され、前記基板カバーには、カバー側マーカーが形成され、前記基板カバーが前記取付位置に配された状態では、前記シャーシ側マーカーと前記カバー側マーカーとが、前記ガイド溝部に対する前記ガイド片のガイド方向において、同じ位置に配されるものとすることができる。
【００１３】
シャーシ側マーカーとカバー側マーカーとが、ガイド方向において同じ位置に配されることで、基板カバーがシャーシの取付位置に配されていることを確認できる。これにより、シャーシの取付位置に基板カバーをより確実に取り付けることができる。
【００１４】
また、前記ガイド片における前記ガイド溝部との対向面には、ガイド片側マーカーが形成され、前記基板カバーが前記取付位置に配された状態において、前記ガイド溝部における前記ガイド片側マーカーと重畳する箇所には、前記ガイド片側マーカーを前記ガイド片とは反対側から視認可能とするマーカー視認孔が貫通形成されているものとすることができる。
【００１５】
基板カバーが取付位置に配された状態では、ガイド片側マーカーとマーカー視認孔とが重畳する。言い換えると、マーカー視認孔を通じて、ガイド片側マーカーを視認することで、基板カバーが取付位置に配されていることを確認でき、基板カバーをシャーシの取付位置に確実に取り付けることができる。
【００１６】
また、前記マーカー視認孔の形状は、前記ガイド片側マーカーの形状と相似形状をなすものとすることができる。
【００１７】
照明装置の仕様の違いなどにより、数種類の基板カバーから、一種類の基板カバーを選んでシャーシに取り付ける場合がある。このような場合、シャーシに対して、正しくない種類の基板カバーを組み付けてしまう事態が懸念される。本発明においては、正しい組み合わせのシャーシ及び基板カバーに、相似形状をなすマーカー視認孔及びガイド片側マーカーをそれぞれ形成しておけばよい。このような構成とすれば、マーカー視認孔及びガイド片側マーカーの形状が一致していることを確認することで、シャーシ及び基板カバーが正しい組み合わせとなっていることを容易に確認することができ、基板カバーの誤組み付けを抑制できる。
【００１８】
また、前記ガイド溝部を構成するとともに、前記ガイド片を挟む形で対向状に配される一対の壁部を備え、前記ガイド片は、その先端側に向かうにつれて先細りする形状をなしており、前記一対の壁部は、その対向間隔が前記先端側に向かうにつれて小さくなる形で形成されており、前記ガイド溝部に対して、前記ガイド片が前記先端側に相対移動された際に、前記ガイド片が前記一対の壁部の各々に当接することで、前記基板カバーが、前記ガイド溝部に対する前記ガイド片のガイド方向において、前記取付位置に位置決めされる構成であるものとすることができる。
【００１９】
ガイド片が両側壁部の各々に当接することで、基板カバーを取付位置に位置決めすることができる。このため、基板カバーをより確実に取付位置に配することができる。
【００２０】
また、前記回路基板が前記ガイド片又は前記ガイド溝部を備えるものとすることができる。このような構成とすれば、回路基板に対して基板カバーをガイドすることができる。
【００２１】
次に、上記課題を解決するために、上記照明装置と、前記照明装置からの光を利用して表示を行う表示パネルと、を備えることを特徴とする。このような表示装置によると、照明装置においてコストを低減できるため、当該表示装置においてもコストを低減することができる。
【００２２】
また、前記表示パネルとしては液晶パネルを例示することができる。このような表示装置は液晶表示装置として、種々の用途、例えばテレビやパソコンのディスプレイ等に適用でき、特に大型画面用として好適である。
【００２３】
次に、上記課題を解決するために、本発明のテレビ受信装置は、上記表示装置を備えることを特徴とする。
【発明の効果】
【００２４】
本発明によれば、基板カバーの取付作業を容易に行うことができる照明装置を提供できる。また、このような照明装置を備えた表示装置、及びテレビ受信装置を提供することが可能となる。
【図面の簡単な説明】
【００２５】
【図１】本発明の実施形態１に係るテレビ受信装置の概略構成を示す分解斜視図。
【図２】図１のテレビ受信装置が備える液晶表示装置の概略構成を示す分解斜視図。
【図３】液晶表示装置の長辺方向に沿った断面構成を示す断面図。
【図４】図２の液晶表示装置が備えるバックライト装置の裏面を示す平面図。
【図５】図４において基板カバーを取り付けた状態を示す拡大図。
【図６】ガイド片及びガイド溝部を示す斜視図。
【図７】ガイド片及びガイド溝部を示す平面図。
【図８】ガイド片をガイド溝部に挿通させる過程を示す断面図。
【図９】基板カバー及びコントロール基板の取付構造を示す断面図（図５のＡ−Ａ線で切断した図）。
【図１０】基板カバー及びコントロール基板の取付構造を示す断面図（図５のＢ−Ｂ線で切断した図）。
【図１１】本発明の実施形態２に係るガイド片及びガイド溝部を示す斜視図。
【図１２】本発明の実施形態２に係るガイド片及びガイド溝部を示す平面図。
【図１３】本発明の実施形態３に係るガイド片及びガイド溝部を示す斜視図。
【図１４】本発明の実施形態３に係るガイド片及びガイド溝部を示す平面図。
【図１５】本発明の実施形態４に係るガイド片及びガイド溝部を示す断面図。
【図１６】本発明の実施形態５に係るガイド片及びガイド溝部を示す平面図。
【図１７】本発明の実施形態６に係るガイド片及びガイド溝部を示す平面図。
【図１８】本発明の実施形態７に係るガイド片及びガイド溝部を示す平面図。
【図１９】本発明の実施形態８に係るガイド片及びガイド溝部を示す平面図。
【図２０】本発明の実施形態８に係るガイド片及びガイド溝部を示す断面図。
【発明を実施するための形態】
【００２６】
＜実施形態１＞
本発明の実施形態１を図１ないし図１０によって説明する。まず、液晶表示装置１０を備えたテレビ受信装置ＴＶの構成について説明する。図１は本実施形態のテレビ受信装置の概略構成を示す分解斜視図、図２は図１のテレビ受信装置が備える液晶表示装置の概略構成を示す分解斜視図、図３は図２の液晶表示装置の長辺方向に沿った断面構成を示す断面図である。なお、液晶表示装置１０（及びシャーシ１４）の長辺方向をＸ軸方向とし、短辺方向をＹ軸方向としている。また、図３における上下方向をＺ軸方向（表裏方向）とし、図３における上方向を表側、下方向を裏側としている。
【００２７】
本実施形態に係るテレビ受信装置ＴＶは、図１に示すように、液晶表示装置１０と、当該液晶表示装置１０を挟むようにして収容する表裏両キャビネットＣａ，Ｃｂと、電源基板Ｐと、チューナーＴと、スタンドＳとを備えて構成される。液晶表示装置１０（表示装置）は、全体として横長の方形を成し、縦置き状態（短辺方向が鉛直方向に沿って配された状態）で収容されている。この液晶表示装置１０は、図２に示すように、液晶パネル１１（表示パネル）と、外部光源であるバックライト装置１２（照明装置）とを備え、これらが枠状のベゼル１３などにより一体的に保持されるようになっている。
【００２８】
次に、液晶表示装置１０を構成する液晶パネル１１及びバックライト装置１２について説明する。液晶パネル１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板１１ａ，１１ｂが取り付けられている（図３参照）。
【００２９】
バックライト装置１２は、図２に示すように、光出射面側（液晶パネル１１側）に開口部１４ｂを有する略箱型をなすシャーシ１４と、シャーシ１４の開口部１４ｂを覆うようにして取り付けられる拡散板１５ａと、拡散板１５ａと液晶パネル１１との間に配される複数の光学シート１５ｂと、シャーシ１４の長辺に沿って配され拡散板１５ａの長辺縁部をシャーシ１４との間で挟んで保持するフレーム１６とを備える。
【００３０】
さらに、シャーシ１４内には、冷陰極管１７（光源）と、冷陰極管１７をシャーシ１４に取り付けるためのランプクリップ１８と、冷陰極管１７の各端部において電気的接続の中継を担う中継コネクタ１９と、冷陰極管１７群の端部及び中継コネクタ１９群を一括して覆うホルダ２０とが収容されている。なお、当該バックライト装置１２においては、冷陰極管１７よりも拡散板１５ａ側が光出射側となっている。
【００３１】
シャーシ１４は、金属製の板状部材が板金成形されたものとされ、矩形平板状の底板１４ａと、その各辺から立ち上がり略Ｕ字状に折り返された外縁部２１（短辺方向の短辺外縁部２１ａ及び長辺方向の長辺外縁部２１ｂ）とからなる略箱型をなしている。シャーシ１４の底板１４ａにおいて、その長辺方向の両端部には、中継コネクタ１９を取り付けるための取付孔２２が複数貫通形成されている。さらに、シャーシ１４の長辺外縁部２１ｂの上面には、固定孔（図示せず）が貫通形成されており、例えばネジ等によりベゼル１３、フレーム１６、及びシャーシ１４等を一体化することが可能とされている。なお、シャーシ１４の材質は金属に限定されず適宜変更可能である。
【００３２】
図２または図８に示すように、シャーシ１４の底板１４ａの内面側（冷陰極管１７と対向する面側）には光反射シート２３が配設されている。光反射シート２３は、合成樹脂製とされ、その表面が反射性に優れた白色とされており、シャーシ１４の底板１４ａの内面に沿ってそのほぼ全域を覆うように敷かれている（図３では光反射シートは不図示）。この光反射シート２３により、冷陰極管１７から出射された光を拡散板１５ａ側に反射させることが可能となっている。
【００３３】
一方、シャーシ１４の開口部１４ｂ側には拡散板１５ａ及び光学シート１５ｂが配設されている。拡散板１５ａは、合成樹脂製の板状部材に光散乱粒子が分散配合されてなり、線状光源たる冷陰極管１７から出射される線状の光を拡散する機能を有する。拡散板１５ａの短辺縁部は上記したようにホルダ２０の第１面２０ａ上に載置されており、上下方向の拘束力を受けないものとされている。一方、拡散板１５ａの長辺縁部は、シャーシ１４とフレーム１６とに挟まれることで固定されている。
【００３４】
拡散板１５ａ上に配される光学シート１５ｂは、拡散板１５ａ側から順に、拡散シート、レンズシート、反射型偏光板が積層されたものであり、冷陰極管１７から出射され、拡散板１５ａを通過した光を面状の光とする機能などを有する。当該光学シート１５ｂの上面側には液晶パネル１１が設置され、当該光学シート１５ｂは拡散板１５ａと液晶パネル１１とにより挟持されている。
【００３５】
冷陰極管１７は、細長い管状をなしており、その長さ方向（軸方向）をシャーシ１４の長辺方向と一致させた状態で、かつ多数本（本実施形態では２０本）が互いに平行に並んだ状態でシャーシ１４内に収容されている（図２参照）。これら冷陰極管１７の各端部には駆動電力を受容する端子（図示せず）が備えられ、当該端部が中継コネクタ１９に嵌め込まれ、これら中継コネクタ１９を被覆するようにホルダ２０が取り付けられている。
【００３６】
冷陰極管１７の端部を覆うホルダ２０は、白色を呈する合成樹脂製とされ、シャーシ１４の短辺方向に沿って延びる細長い略箱型をなしている。当該ホルダ２０は、シャーシ１４の短辺外縁部２１ａと一部重畳した状態で配されており、短辺外縁部２１ａとともに当該バックライト装置１２の側壁を構成している。図３に示すように、ホルダ２０のうちシャーシ１４の短辺外縁部２１ａと対向する面からは挿入ピン２４が突出しており、当該挿入ピン２４がシャーシ１４の短辺外縁部２１ａの上面に形成された挿入孔２５に挿入されることで、当該ホルダ２０はシャーシ１４に取り付けられるものとされている。
【００３７】
ホルダ２０の階段状面は、図３に示すように、シャーシ１４の底板１４ａと平行な３面からなり、最も低い位置にある第１面２０ａには拡散板１５ａの短辺縁部が載置されている。さらに、第１面２０ａからは、シャーシ１４の底板１４ａに向けて傾斜する傾斜カバー２６が延出されている。ホルダ２０の階段状面の第２面２０ｂには、液晶パネル１１の短辺縁部が載置されている。ホルダ２０の階段状面のうち最も高い位置にある第３面２０ｃは、シャーシ１４の短辺外縁部２１ａと重畳する位置に配され、ベゼル１３と接触するものとされている。
【００３８】
図２及び図４に示すように、シャーシ１４の底板１４ａ（シャーシの壁部）の外面側（冷陰極管１７とは反対側、裏面側）には、インバータ基板３０及びコントロール基板４０が取り付けられている（付設されている）。言い換えると、インバータ基板３０及びコントロール基板４０は、シャーシ１４の一部を構成していると言うこともできる。なお、上述した電源基板Ｐ（図１参照、図４では図示せず）は、インバータ基板３０やコントロール基板４０などと電気的に接続され、これらに電力を供給する電力供給源とされている。
【００３９】
インバータ基板３０は、シャーシ１４の長辺方向の両端部にそれぞれ設けられ、シャーシ１４の短辺方向に沿った長い方形状をなしている。各インバータ基板３０は、コネクタ２７及びハーネス２８を介して冷陰極管１７と電気的に接続されている。また、インバータ基板３０は、電源基板Ｐから入力される入力電圧をトランスなどにより構成されるインバータ回路によって昇圧し、入力電圧よりも高い出力電圧を冷陰極管１７へ出力するなどして冷陰極管１７の点灯（又は消灯）を制御する機能を有する。
【００４０】
コントロール基板４０（回路基板）は、図４に示すように、方形状をなしており、シャーシ１４の長辺方向における中央部、かつシャーシ１４の短辺方向において一方に偏った位置（図４の上側）に配されている。コントロール基板４０は、合成樹脂製（例えば紙フェノール製またはガラスエポキシ樹脂製など）の基板上に回路部品４１が実装されてなり、チューナーＴからのテレビ信号などの各種入力信号を液晶駆動用の信号に変換し、その変換した液晶駆動用の信号を液晶パネル１１に供給する機能を有する。
【００４１】
シャーシ１４の底板１４ａには、図２及び図５に示すように、コントロール基板４０を覆う形で基板カバー６０が取り付けられている。なお、図４は、基板カバー６０を取り外した状態のシャーシ１４を図示している。このような基板カバー６０は、コントロール基板４０の保護を図るものである。また、基板カバー６０は、コントロール基板４０に手などが触れる事態を防止する機能を担っており、コントロール基板４０駆動時などにコントロール基板４０が高温となった際の安全性を高くしている。
【００４２】
基板カバー６０は、図５及び図１０に示すように、平面視方形状をなす板状の部材であって、シャーシ１４側に向かって開口された断面視略Ｕ字型をなす中央部６１と、中央部６１のシャーシ１４の長辺方向における両端（図５の左右両端）から底板１４ａに沿ってそれぞれ延びる端部６２と、を備えている。基板カバー６０は、その両端部６２が、コントロール基板４０における図５の左右両側の周縁部とそれぞれ重畳する形でシャーシ１４に取り付けられる。
【００４３】
次に、シャーシ１４に対するコントロール基板４０及び基板カバー６０の取付構造について説明する。シャーシ１４の底板１４ａにおけるコントロール基板４０の取付箇所には、図４に示すように、取付台座部５０が形成されている。取付台座部５０は、底板１４ａの一部をシャーシ１４外面側に突き出すことで形成されており、Ｙ軸方向に長い形状をなしている。取付台座部５０は、基板カバー６０の両端部６２と重畳する箇所にそれぞれ形成され、コントロール基板４０及び基板カバー６０は、両取付台座部５０に跨る形で配されている。
【００４４】
基板カバー６０の両端部６２には、図６に示すように、シャーシ１４の底板１４ａ側へ突き出すガイド片７０がそれぞれ形成されている。なお、図６及び図７は、シャーシ１４の底板１４ａを表側（シャーシの内側）から視た状態を示す図である。ガイド片７０は、端部６２の一部を取付台座部５０側へ打ち出すことで形成され、板状をなしている。ガイド片７０は、図８に示すように、基板カバー６０から延びる基端部７１と、基端部７１から延びる先端部７２とを有している。先端部７２は、底板１４ａの板面（又は取付台座部５０におけるコントロール基板２０との対向面）方向に沿って延びる形で形成されている。
【００４５】
先端部７２は、平面視において、Ｙ軸方向に長い方形状をなしている。シャーシ１４の取付台座部５０において、先端部７２と対向する箇所には、図６及び図７に示すように、取付台座部５０を貫通することでシャーシ開口部５１が形成されている。
【００４６】
シャーシ開口部５１は、平面視において、先端部７２より一回り大きい方形状をなしており、ガイド片７０を挿通可能とされる。また、コントロール基板４０において、シャーシ開口部５１と重畳する箇所には、シャーシ開口部５１とほぼ同じ形状をなす基板開口部４２が形成されている。これにより、ガイド片７０は、シャーシ１４の外側から、基板開口部４２及びシャーシ開口部５１に挿通可能な構成となっている。
【００４７】
シャーシ１４の取付台座部５０において、先端部７２と対向する箇所には、ガイド溝部５２が形成されている。このガイド溝部５２は、取付台座部５０の一部を基板カバー６０と反対側へ凹ませることで形成されており、平面視において、シャーシ開口部５１のＹ軸方向における一部と重畳する形で配されている。
【００４８】
より具体的には、ガイド溝部５２は、Ｙ軸方向に沿って形成されており、シャーシ開口部５１のＸ軸方向における両側の縁部から、基板カバー６０と反対側へ向けて、それぞれ立設された一対の溝部側壁５２Ａと、両溝部側壁５２Ａを連結する形で形成された溝部底壁５２Ｂとから構成されている。また、溝部底壁５２Ｂは、ガイド片７０の先端部７２と平行に延びている。
【００４９】
ガイド溝部５２には、ガイド片７０の先端部７２が嵌合可能とされ、ガイド溝部５２にガイド片７０の先端部７２を嵌合させた状態では、両溝部側壁５２Ａが先端部７２を挟む形で配され、Ｘ軸方向における先端部７２の移動を規制する構成となっている。つまり、ガイド溝部５２は、ガイド片７０をＹ軸方向にガイド可能な構成となっている。なお、基板カバー６０が所定の取付位置に配されている状態では、図６に示すように、ガイド片７０の先端部７２の先端部分が、シャーシ開口部５１の縁部（シャーシ１４の内側）と重畳する構成となっている。
【００５０】
なお、ガイド溝部５２は、図１０に示すように、裏側（図１０の上側）に向かうにつれて、その溝幅（言い換えると、両溝部側壁５２Ａの対向間隔）が大きくなる構成となっており、ガイド片７０の先端部７２をガイド溝部５２に嵌合させやすくなっている。
【００５１】
以上の構成から、図８に示すように、各ガイド片７０を基板開口部４２及びシャーシ開口部５１に挿通させ、対応するガイド溝部５２にそれぞれ嵌合させた状態とし、その後、各ガイド溝部５２に各ガイド片７０をガイドさせつつ、ガイド方向における一端側（図８における左側）にガイド片７０をスライド移動（ＸＹ平面に沿って移動）させることで、基板カバー６０を所定の取付位置（図９に示す基板カバー６０の位置）までガイドすることが可能となっている。
【００５２】
本実施形態においては、基板カバー６０がコントロール基板４０と全面に渡って重畳する位置を基板カバー６０の取付位置としている。なお、基板カバー６０の取付位置は適宜変更可能であって、基板カバー６０がコントロール基板４０を覆う形で配される位置であればよい。
【００５３】
また、図９に示すように、平面視における基板カバー６０の４隅には、ビス挿通孔６３が形成されている。このビス挿通孔６３は、基板カバー６０を所定の取付位置まで移動させた状態では、コントロール基板４０に形成されたビス挿通孔４３、取付台座部５０に形成されたビス取付孔５３と重畳する構成となっている。なお、ビス取付孔５３の内周面にはネジが切ってあり、ビスＢ１の先端部が螺合可能となっている。
【００５４】
これにより、ビス挿通孔６３，４３に、裏側（図９の上側）からビスＢ１を挿通させ、ビスＢ１の先端をビス取付孔５３に螺合させることで、コントロール基板４０及び基板カバー６０をシャーシ１４の取付台座部５０に対して取り付けることができる構成となっている。
【００５５】
ガイド片７０におけるガイド溝部５２（溝部底壁５２Ｂ）との対向面７２Ａには、図６及び図９に示すように、ガイド片側マーカー７３が形成されている。ガイド片側マーカー７３は、例えば、円形状をなしており、塗料を印刷することで形成される。なお、ガイド片側マーカー７３の形成手段としては、印刷以外にも、レーザーマーカによって、ガイド溝部５２に刻印する手段や、ガイド片７０をガイド片側マーカー７３の形状に凹設することで刻印する手段などを例示することができる。
【００５６】
また、基板カバー６０が取付位置に配された状態において、ガイド溝部５２の溝部底壁５２Ｂにおけるガイド片側マーカー７３と重畳する箇所には、マーカー視認孔５４が貫通形成されている。これにより、マーカー視認孔５４を通じて、ガイド片７０とは反対側から、ガイド片側マーカー７３を視認することができ、基板カバー６０が取付位置に配されていることを容易に確認することができる。そして、マーカー視認孔５４は、ガイド片側マーカー７３と相似形状（本実施形態では円形状）をなしている。
【００５７】
シャーシ１４の底板１４ａにおいて、基板カバー６０の周辺部には、図５に示すように、シャーシ側マーカー５５が形成されている。一方、基板カバー６０の両端部６２のうち、
一方の端部６２（シャーシ側マーカー５５と隣接する側の端部６２）には、カバー側マーカー６４が形成されている。基板カバー６０が取付位置に配された状態では、シャーシ側マーカー５５とカバー側マーカー６４とが、Ｙ軸方向（ガイド溝部５２に対するガイド片７０のガイド方向）において、同じ位置に配される構成となっている。
【００５８】
シャーシ側マーカー５５及びカバー側マーカー６４は、例えば、Ｘ軸方向に長い方形状をなしており、塗料を印刷することで形成される。なお、シャーシ側マーカー５５及びカバー側マーカー６４の形成手段としては、印刷以外にも、レーザーマーカによる刻印や、基板カバー６０又はシャーシ１４を凹設することで刻印する手段などを例示することができる。
【００５９】
次に、本実施形態のバックライト装置１２において、シャーシ１４に対して基板カバー６０を取り付ける手順について説明する。まず、図８に示すように、シャーシ１４の底板１４ａにおける外面側にコントロール基板４０をセットした状態で、基板カバー６０のガイド片７０を、コントロール基板４０の基板開口部４２及びシャーシ１４のシャーシ開口部５１に挿通させる。そして、ガイド片７０の先端部７２の先端をガイド溝部５２に嵌合させる。
【００６０】
次に、ガイド溝部５２にガイド片７０の先端部７２をスライド移動させつつ、基板カバー６０を先端部７２の先端側へ移動させ、所定の取付位置まで移動させる（図９の状態）。これにより、コントロール基板４０をシャーシ１４の外側から覆う形で基板カバー６０が配される。また、図９に示すように、ガイド片側マーカー７３は、マーカー視認孔５４と重畳することで、マーカー視認孔５４を通じて、表側から視認可能となっている。また、基板カバー６０が所定の取付位置に配された状態では、ビス挿通孔６３、ビス挿通孔４３、ビス取付孔５３が重畳する形で配される。
【００６１】
次に、ビス挿通孔６３，４３にビスＢ１を挿通させ、ビスＢ１の先端をビス取付孔５３に螺合させることで、シャーシ１４に対して、コントロール基板４０及び基板カバー６０の取付が完了する。
【００６２】
なお、図８及び図９ではガイド片側マーカー７３を図示するために、ガイド片側マーカー７３にある程度の厚みを持たせてあり、図面上では、ガイド片側マーカー７３がガイド溝部５２と干渉しているように見える。しかし、ガイド片側マーカー７３は、実際には、ガイド片７０などと比較して厚みが小さく、ガイド溝部５２と干渉するものではない。
【００６３】
以上説明したように、本実施形態のバックライト装置１２は、冷陰極管１７と、冷陰極管１７が収容され、コントロール基板４０が付設されてなるシャーシ１４と、シャーシ１４に取り付けられ、コントロール基板４０を覆う形で配される基板カバー６０と、を備え、基板カバー６０がガイド片７０を備え、シャーシ１４がガイド片７０をガイドするガイド溝部５２を備えることで、基板カバー６０をシャーシ１４における所定の取付位置までガイド可能な構成である。
【００６４】
ガイド片７０がガイド溝部５２にガイドされることで、基板カバー６０をシャーシ１４に対してガイド、より具体的には、Ｘ軸方向において位置決めされた状態で基板カバー６０をＹ軸方向において移動させることができる。このような構成すれば、ガイド片７０がガイド溝部５２にガイドされることで、シャーシ１４に対する基板カバー６０の位置決めが容易となり、基板カバー６０の取付に係る作業性が向上する。また、基板カバー６０をシャーシ１４における取付位置に確実にセットすることができ、コントロール基板４０を確実に基板カバー６０で覆うことができる。
【００６５】
上記構成において、ガイド片７０におけるガイド溝部５２との対向面には、ガイド片側マーカー７３が形成され、基板カバー６０が取付位置に配された状態において、ガイド溝部５２におけるガイド片側マーカー７３と重畳する箇所には、ガイド片側マーカー７３をガイド片７０とは反対側から視認可能とするマーカー視認孔５４が貫通形成されている。
【００６６】
基板カバー６０が取付位置に配された状態では、ガイド片側マーカー７３とマーカー視認孔５４とが重畳する。言い換えると、マーカー視認孔５４を通じて、ガイド片側マーカー７３を視認することで、基板カバー６０が取付位置に配されていることを確認でき、基板カバー６０をシャーシの取付位置に確実に取り付けることができる。
【００６７】
また、マーカー視認孔５４の形状は、ガイド片側マーカー７３の形状と相似形状をなしている。
【００６８】
バックライト装置１２の仕様の違いなどにより、数種類の基板カバーから、一種類の基板カバーを選んでシャーシ１４に取り付ける場合がある。このような場合、シャーシ１４に対して正しくない種類の基板カバーを組み付けてしまう事態が懸念される。本実施形態においては、正しい組み合わせのシャーシ１４及び基板カバー６０に、それぞれ相似形状（例えば円形状など）のマーカー視認孔５４及びガイド片側マーカー７３を形成しておけばよい。このような構成とすれば、マーカー視認孔５４及びガイド片側マーカー７３の形状が一致していることを確認することで、シャーシ１４及び基板カバー６０が正しい組み合わせとなっていることを容易に確認することができ、基板カバーの誤組み付けを抑制できる。
【００６９】
また、シャーシ１４において、基板カバー６０の周辺部には、シャーシ側マーカー５５が形成され、基板カバー６０には、カバー側マーカー６４が形成され、基板カバー６０が取付位置に配された状態では、ガイド溝部５２に対するガイド片７０のガイド方向において、シャーシ側マーカー５５とカバー側マーカー６４とが、同じ位置に配される。
【００７０】
シャーシ側マーカー５５とカバー側マーカー６４とが、ガイド方向おいて同じ位置に配されることで、基板カバー６０がシャーシ１４の取付位置に配されていることを確認できる。これにより、シャーシ１４の取付位置に基板カバー６０をより確実に取り付けることができる。
【００７１】
＜実施形態２＞
次に、本発明の実施形態２を図１１ないし図１２によって説明する。本実施形態のバックライト装置１１２は、ガイド片及びガイド溝部の構成を上記実施形態とは異なる構成としたものである。なお、上記実施形態と同一部分には、同一符号を付して重複する説明を省略する。
【００７２】
図１１及び図１２は、シャーシ１４の底板１４ａを表側から視た状態を示す図である。図１１に示すように、本実施形態のガイド片１７０には、突部１７３が形成され、ガイド溝部１５２に形成された突部挿通孔１５４に挿通される構成となっている。突部１７３は、ガイド片１７０の先端部７２における先端側の一部を突部挿通孔１５４に向かって折り曲げることで形成された板状をなしている。なお、突部１７３は、先端部７２に対して直角をなす形で折り曲げられている。
【００７３】
突部挿通孔１５４は、ガイド溝部１５２における溝部底壁５２Ｂを切り欠くことで形成され、ガイド片１７０の先端側と反対側（図１２の下側）に開口する形で形成されている。突部挿通孔１５４には、突部１７３がガイド片１７０の先端側と反対側から挿通可能（嵌合可能）となっている。そして、基板カバー６０が所定の取付位置に配された状態においては、突部１７３が突部挿通孔１５４におけるガイド片１７０の先端側の内周面１５４Ａに当接する構成となっている。
【００７４】
このように、突部１７３が突部挿通孔１５４に挿通され、内周面１５４Ａに当接することで、Ｙ軸方向（ガイド溝部１５２に対するガイド片１７０のガイド方向）の一方向（ガイド溝部１５２に対するガイド片１７０のスライド方向、図１２の上方）において、基板カバー６０の移動が規制される。これにより、基板カバー６０が取付位置に位置決めされる構成となっている。このため、基板カバー６０をより確実に所定の取付位置に配することができる。
【００７５】
また、突部１７３は、ガイド片１７０の一部を、突部挿通孔１５４に向かって折り曲げることで形成されている。このような構成とすれば、突部１７３を容易に形成することができる。
【００７６】
＜実施形態３＞
次に、本発明の実施形態３を図１３ないし図１４によって説明する。本実施形態のバックライト装置２１２は、ガイド片及びガイド溝部の構成を上記各実施形態とは異なる構成としたものである。なお、上記各実施形態と同一部分には、同一符号を付して重複する説明を省略する。
【００７７】
図１３及び図１４は、シャーシ１４の底板１４ａを表側から視た状態を示す図である。図１３に示すように、本実施形態のガイド片２７０には、突部２７３が形成され、ガイド溝部２５２に形成された突部挿通孔２５４に挿通される構成となっている。突部２７３は、板状をなし、ガイド片２７０の先端部７２における短辺方向（ガイド片２７０のガイド方向と交差する方向）の両端部を突部挿通孔２５４に向かって、それぞれ折り曲げることで形成されている。なお、突部２７３の各々は、先端部７２に対して、例えば直角をなす形で形成されている。
【００７８】
突部挿通孔２５４は、ガイド溝部１５２における溝部底壁５２Ｂを、ガイド片２７０の先端側と反対側（図１４の下側）に開口する形で切り欠くことで形成されている。突部挿通孔２５４には、両突部２７３がガイド片２７０の先端側と反対側（図１４の下側）から挿通可能（嵌合可能）となっている。そして、基板カバー６０が所定の取付位置に配された状態においては、両突部２７３が突部挿通孔２５４におけるガイド片２７０の先端側の内周面２５４Ａに当接する構成となっている。
【００７９】
このように、突部２７３が突部挿通孔２５４に挿通され、内周面２５４Ａに当接することで、Ｙ軸方向（ガイド溝部２５２に対するガイド片２７０のガイド方向）の一方向（図１４の上側）において、基板カバー６０の移動が規制される結果、基板カバー６０が取付位置に位置決めされる構成となっている。このため、基板カバー６０をより確実に所定の取付位置に配することができる。
【００８０】
また、本実施形態においては、ガイド片２７０の先端部７２における短辺方向（ガイド片２７０のガイド方向と交差する方向）の両端部を突部挿通孔２５４に向かってそれぞれ折り曲げることで突部２７３を形成している。このように、突部２７３を形成する際の折り曲げ方向を、突部２７３が突部挿通孔２５４に当接する方向と交差する方向にすることで、各突部２７３が突部挿通孔２５４の内周面２５４Ａに当接した場合において、各突部２７３の剛性をより高くすることができる。
【００８１】
また、突部２７３は、ガイド片２７０の一部を、突部挿通孔２５４に向かって折り曲げることで形成されている。このような構成とすれば、突部２７３を容易に形成することができる。
【００８２】
＜実施形態４＞
次に、本発明の実施形態４を図１５によって説明する。本実施形態のバックライト装置３１２は、ガイド片及びガイド溝部の構成を上記各実施形態とは異なる構成としたものである。なお、上記各実施形態と同一部分には、同一符号を付して重複する説明を省略する。
【００８３】
図１５に示すように、本実施形態のガイド片３７０には、突部３７３が形成されている。一方、ガイド溝部３５２には、突部挿通孔３５４が形成されている。基板カバー６０が所定の取付位置に配された状態において、突部３７３が、突部挿通孔３５４に挿通される構成となっている。突部３７３は、ガイド片３７０の先端部７２において、ガイド溝部３５２の溝部底壁３５２Ｂとの対向面から、溝部底壁３５２Ｂに向かって突き出す形で形成されており、略半球状をなしている。
【００８４】
突部挿通孔３５４は、突部３７３が挿通可能な閉じた孔であって、平面視円形状をなしている。また、図１５に示す基板カバー６０が所定の取付位置に配された状態において、ガイド片３７０と取付台座部５０とは、平行状をなしており、Ｚ軸方向において隙間Ｚ１を空けて配されている。ガイド片３７０は、弾性変形が可能とされ、隙間Ｚ１の分だけ、例えばガイド片３７０の基端側を支点として、取付台座部５０側へ撓み変形可能とされる。そして、突部３７３の突出高さは、隙間Ｚ１よりも小さく設定されている。
【００８５】
以上の構成から、ガイド片３７０をガイド溝部３５２に対して、図１５の左側から挿通させると、溝部底壁３５２Ｂに対して、突部３７３が当接して、ガイド片３７０が図１５の上方に撓む。さらに、ガイド片３７０をガイド溝部３５２に挿通させていき、突部３７３がＹ軸方向において、突部挿通孔３５４と同じ位置に達すると、ガイド片３７０が弾性復帰して、突部３７３が突部挿通孔３５４に挿通される。
【００８６】
以上説明したように、本実施形態では、突部挿通孔３５４に突部３７３が挿通されることで、Ｙ軸方向（ガイド溝部に対するガイド片のガイド方向）において、基板カバー６０の移動が規制され、この結果、基板カバー６０が所定の取付位置に位置決めされる。このため、基板カバー６０をより確実に所定の取付位置に配することができる。
【００８７】
また、本実施形態のように、突部３７３を閉じた孔である突部挿通孔３５４に挿通させる構成とすれば、Ｙ軸方向における両方向において、基板カバー６０の移動を規制することができる。このようにすれば、従来、基板カバー６０の固定に用いていたビスなどを廃止することもでき、ビスに係るコストを低減できる。
【００８８】
＜実施形態５＞
次に、本発明の実施形態５を図１６によって説明する。本実施形態のバックライト装置４１２は、ガイド片及びガイド溝部の構成を上記各実施形態とは異なる構成としたものである。なお、上記各実施形態と同一部分には、同一符号を付して重複する説明を省略する。
【００８９】
図１６は、シャーシ１４の底板１４ａを表側から視た状態を示す平面図である。図１６に示すように、本実施形態のガイド溝部４５２における溝部底壁５２Ｂには、ガイド片４７０に向けて、例えば円柱状をなす突部４５４が形成されている。一方、ガイド片４７０の先端部７２には、突部４５４が挿通可能な突部挿通孔４７３が形成されている。突部挿通孔４７３は、ガイド片４７０の先端側に開口する形で形成されている。そして、基板カバー６０が所定の取付位置に配された状態においては、突部４５４が突部挿通孔４７３におけるガイド片２７０の基端側の内周面４７３Ａに当接する構成となっている。
【００９０】
以上の構成により、ガイド片４７０が、図１６の下方から、ガイド溝部４５２に挿通されると、突部４５４が突部挿通孔４７３の内周面４７３Ａに当接することで、Ｙ軸方向（ガイド溝部４５２に対するガイド片４７０のガイド方向）の一方向（ガイド片４７０の先端側）において、基板カバー６０の移動が規制され、その結果、基板カバー６０が取付位置に位置決めされる。このため、基板カバー６０をより確実に所定の取付位置に配することができる。
【００９１】
＜実施形態６＞
次に、本発明の実施形態６を図１７によって説明する。本実施形態のバックライト装置５１２は、ガイド片及びガイド溝部の構成を上記各実施形態とは異なる構成としたものである。なお、上記各実施形態と同一部分には、同一符号を付して重複する説明を省略する。
【００９２】
図１７は、シャーシ１４の底板１４ａを表側から視た状態を示す平面図である。図１７に示すように、本実施形態のガイド溝部５５２における溝部底壁５２Ｂには、ガイド片５７０に向けて、円柱状をなす突部５５４が形成されている。突部５５４は、Ｘ軸方向において、例えば２つ配列されている。一方、ガイド片５７０の先端部５７２における先端側は、基端側に対して幅が狭くなる形で形成されており、両突部５５４間に挿通可能な形状をなしている。
【００９３】
言い換えると、先端部５７２は、Ｘ軸方向における両端部が切り欠かれる形で形成されており、この切り欠き部分は、それぞれ、突部５５４が挿通可能な突部挿通孔５７３とされる。そして、基板カバー６０が所定の取付位置に配された状態においては、両突部５５４が突部挿通孔５７３の内周面５７３Ａに当接する構成となっている。
【００９４】
以上の構成により、ガイド片５７０が、図１７の下方から、ガイド溝部５５２に挿通され、各突部５５４がガイド片５７０の側面５７３Ａにそれぞれ当接することで、Ｙ軸方向（ガイド溝部５５２に対するガイド片５７０のガイド方向）の一方向（ガイド片５７０の先端側）において、基板カバー６０の移動が規制される結果、基板カバー６０が取付位置に位置決めされる。このため、基板カバー６０をより確実に所定の取付位置に配することができる。また、ガイド片５７０の先端部５７２における先端側は、両突部５５４間に挿通される。このため、Ｘ軸方向における基板カバー６０の位置決めをより確実に行うことができる。
【００９５】
＜実施形態７＞
次に、本発明の実施形態７を図１８によって説明する。本実施形態のバックライト装置６１２は、ガイド片及びガイド溝部の構成を上記各実施形態とは異なる構成としたものである。なお、上記各実施形態と同一部分には、同一符号を付して重複する説明を省略する。
【００９６】
図１８は、シャーシ１４の底板１４ａを表側から視た状態を示す平面図である。図１８に示すように、本実施形態のガイド片６７０の先端部６７２は、その側面６７２Ａが先端側（図１８の上側）に向かうにつれて内側に傾斜する形で形成されている。言い換えると、ガイド片６７０の先端部６７２は、その先端側に向かうにつれて先細りする形状をなしている。
【００９７】
ガイド溝部６５２は、ガイド片６７０の先端部６７２を挟む形で対向状に配される一対の溝部側壁６５２Ａ（一対の壁部、ガイド溝部の側壁部）と、両溝部側壁６５２Ａの先端同士を連結する溝部底壁６５２Ｂとを備えている。各溝部側壁６５２Ａにおけるガイド片６７０の側面６７２Ａとの対向面６５３は、対向する側面６７２Ａに沿って傾斜する形で配されている。言い換えると、一対の溝部側壁６５２Ａは、両対向面６５３の対向間隔が、ガイド片６７０の先端側に向かうにつれて小さくなる形で形成されている。
【００９８】
そして、基板カバー６０が所定の取付位置に配された状態においては、ガイド片６７０の各側面６７２Ａが、ガイド溝部６５２の各対向面６５３に当接する構成となっている。
【００９９】
以上の構成により、ガイド片６７０が、図１８の下方から、ガイド溝部６５２に挿通されると、各側面６７２Ａが、ガイド溝部６５２の各対向面６５３に当接する。これにより、Ｙ軸方向（ガイド溝部６５２に対するガイド片６７０のガイド方向）の一方向（ガイド片６７０の先端側）において、基板カバー６０の移動が規制される結果、基板カバー６０が取付位置に位置決めされる。このため、基板カバー６０をより確実に取付位置に配することができる。
【０１００】
＜実施形態８＞
次に、本発明の実施形態８を図１９ないし図２０によって説明する。本実施形態のバックライト装置７１２は、ガイド片及びガイド溝部の構成を上記各実施形態とは異なる構成としたものである。なお、上記各実施形態と同一部分には、同一符号を付して重複する説明を省略する。上記各実施形態では、ガイド溝部をシャーシ１４の底板１４ａ（取付台座部５０）に設ける構成とした。これに対して、本実施形態では、ガイド溝部７５２をコントロール基板４０に設ける構成とした。
【０１０１】
図１９に示すように、コントロール基板４０は、例えば、平面視における４隅付近に設けられたビスＢ１によって、取付台座部５０に取り付けられている。ガイド溝部７５２は、図２０に示すように、基板カバー６０のガイド片７７０と対向する位置に設けられている。ガイド溝部７５２は、コントロール基板４０から、基板カバー６０側へ立設された一対の溝部側壁７５２Ａと、両溝部側壁７５２Ａの先端を連結する形で形成された溝部底壁７５２Ｂとを備えている（図１９参照）。
【０１０２】
ガイド片７７０の先端部７２は、ガイド溝部７５２（対向配置された両溝部側壁７５２Ａの間）に対して、Ｙ軸方向から挿通可能な構成となっている。ガイド片７７０の先端部７２には、溝部底壁７５２Ｂに向かって突き出す突部７７３が形成されている。また、溝部底壁７５２Ｂにおいて、突部７７３と対向する箇所には、突部挿通孔７５４が形成されている。基板カバー６０が所定の取付位置（図２０の位置）に配された状態では、突部７７３が突部挿通孔７５４に挿通される構成となっている。
【０１０３】
より具体的には、ガイド片７７０を図２０の右側から、ガイド溝部７５２（両溝部側壁７５２Ａの間）に挿通させると、突部７７３が溝部底壁７５２Ｂに当接する。さらに、ガイド片７７０をガイド溝部７５２に挿通させると、突部７７３又は溝部底壁７５２Ｂが互いに遠ざかる方向に弾性変形（撓み変形）する。そして、突部７７３が突部挿通孔７５４に達すると、突部７７３又は溝部底壁７５２Ｂが弾性復帰することで、突部７７３が突部挿通孔７５４に挿通される。
【０１０４】
以上の構成から、本実施形態においては、ガイド片７７０をガイド溝部７５２に嵌合させることで、コントロール基板４０に対して基板カバー６０をガイドすることができる。また、基板カバー６０が所定の取付位置（図２０の位置）に配された状態では、突部７７３が突部挿通孔７５４に挿通される構成となっているため、基板カバー６０を取付位置により確実に配することができる。
【０１０５】
＜他の実施形態＞
本発明は上記記述及び図面によって説明した実施形態に限定されるものではなく、例えば次のような実施形態も本発明の技術的範囲に含まれる。
【０１０６】
（１）上記実施形態１〜７では、シャーシ１４がガイド溝部を備え、基板カバー６０がガイド片を備える構成としたが、シャーシ１４がガイド片を備え、基板カバー６０がガイド溝部を備える構成としてもよい。
【０１０７】
（２）ガイド片側マーカー７３、マーカー視認孔５４の形状は円形状に限定されず適宜変更可能である。例えば、ガイド片側マーカー７３、マーカー視認孔５４を方形状、三角形状などとしてもよい。また、ガイド片側マーカー７３の形状及びマーカー視認孔５４の形状が一致していなくてもよい。
【０１０８】
（３）上記実施形態で例示した各突部の形状及び各突部挿通孔の形状は、適宜変更可能である。
【０１０９】
（４）上記実施形態８では、コントロール基板４０がガイド溝部７５２を備え、基板カバー６０がガイド片７７０を備えた構成を例示したが、これに限定されない。コントロール基板４０がガイド片７７０を備え、基板カバー６０がガイド溝部７５２を備えた構成であってもよい。
【０１１０】
（５）上記実施形態では、回路基板として、コントロール基板４０を例示したが、これに限定されない。シャーシ１４に取り付けられる回路基板及び基板カバーであれば、本発明の構成（突部及び係止部にて固定する構成）を適用することが可能である。
【０１１１】
（６）取付台座部５０の形状は、上記実施形態のものに限定されない。また、基板カバー６０及びコントロール基板４０は、シャーシ１４の底板１４ａのうち、取付台座部５０が形成されていない箇所に取り付けられる構成であってもよい。つまり、突部の形成箇所は取付台座部５０に限定されず、適宜変更可能である。
【０１１２】
（７）上記実施形態では、光源として冷陰極管１７を用いた場合を示したが、これに限定されない。光源として熱陰極管やＬＥＤなどを用いることも可能である。
【０１１３】
（８）上記実施形態では、液晶パネル１１及びシャーシ１４がその短辺方向を鉛直方向と一致させた縦置き状態とされるものを例示したが、液晶パネル１１及びシャーシ１４がその長辺方向を鉛直方向と一致させた縦置き状態とされるものも本発明に含まれる。
【０１１４】
（９）上記実施形態では、液晶表示装置１０のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１１５】
（１０）上記実施形態では、表示パネルとして液晶パネル１１を用いた液晶表示装置１０を例示したが、他の種類の表示パネルを用いた表示装置にも本発明は適用可能である。
【０１１６】
（１１）上記実施形態では、チューナーを備えたテレビ受信装置ＴＶを例示したが、チューナーを備えない表示装置にも本発明は適用可能である。
【符号の説明】
【０１１７】
１０…液晶表示装置（表示装置）、１１…液晶パネル（表示パネル）、１２，１１２，２１２，３１２，４１２，５１２，６１２，７１２…バックライト装置（照明装置）、１４…シャーシ、１７…冷陰極管（光源）、４０…コントロール基板（回路基板）、５２，１５２，２５２，３５２，４５２，５５２，６５２，７５２…ガイド溝部、５４…マーカー視認孔、５５…シャーシ側マーカー、６０…基板カバー、６４…カバー側マーカー、７０，１７０，２７０，３７０，４７０，５７０，６７０，７７０…ガイド片、７２Ａ…対向面（ガイド片におけるガイド溝部との対向面）、７３…ガイド片側マーカー、１５４，２５４，３５４，４７３，５７３，７５４…突部挿通孔、１７３，２７３，３７３，４５４，５５４，７７３…突部、６５２Ａ…溝部側壁（一対の壁部、ガイド溝部の側壁部）、ＴＶ…テレビ受信装置
【図１】
2012043614.tif 000003
【図２】
2012043614.tif 000004
【図３】
2012043614.tif 000005
【図４】
2012043614.tif 000006
【図５】
2012043614.tif 000007
【図６】
2012043614.tif 000008
【図７】
2012043614.tif 000009
【図８】
2012043614.tif 000010
【図９】
2012043614.tif 000011
【図１０】
2012043614.tif 000012
【図１１】
2012043614.tif 000013
【図１２】
2012043614.tif 000014
【図１３】
2012043614.tif 000015
【図１４】
2012043614.tif 000016
【図１５】
2012043614.tif 000017
【図１６】
2012043614.tif 000018
【図１７】
2012043614.tif 000019
【図１８】
2012043614.tif 000020
【図１９】
2012043614.tif 000021
【図２０】
2012043614.tif 000022